(57)【要約】【課題】  尿を漏らすと吸水パッドで吸水されるが、睾丸の当たりまで尿が流れて不快感を生じることを解消すると共に軽度の失禁者の場合には、通常の小便を行うべくトイレに行くようなときには、立ったままで小便ができ、面倒さが生じることを解消する。【解決手段】  下部の中央部に股部５を備えると共にこの股部３の両側に足を挿入するための腿回り部７Ｌ、７Ｒを備え、上部にウエスト部１１を備えたパンツ本体３からなり、このパンツ本体３の前側における股部５とウエスト部１１との間を内側生地１３と外側生地１５で空間部１７を形成せしめ、内側生地１３に男性の生殖器を空間部１７に挿入するための開口部３３を備え、この開口部３３より下方に形成された内側生地１３と外側生地１５との間に吸水パッド３７を収納する収納領域３５を設け、空間部１７の少なくとも一側壁に吸水パッド３７を出し入れ可能な出し入れ開口部２５を設けてなることを特徴とする。【選択図】図１
2005198900.tif 000002
【特許請求の範囲】
【請求項１】
下部の中央部に股部を備えると共にこの股部の両側に足を挿入するための腿回り部を備え、上部にウエスト部を備えたパンツ本体からなり、このパンツ本体の前側における前記股部とウエスト部との間に内側生地と外側生地で空間部を形成せしめ、前記内側生地に男性の生殖器を前記空間部に挿入するための開口部を備え、この開口部より下方に形成された内側生地と外側生地との間に吸水パッドを収納する収納領域を設け、前記空間部の少なくとも一側壁に前記吸水パッドを出し入れ可能な出し入れ開口部を設けてなることを特徴とする失禁用パンツ。
【請求項２】
前記出し入れ開口部は、通常の排尿時の前記男性の生殖器の出し入れ可能な出し入れ開口部を兼ねていることを特徴とする請求項１記載の失禁用パンツ。
【請求項３】
前記吸水パッドを出し入れ可能な出し入れ開口部とは別に、通常の排尿時の前記男性の生殖器の出し入れ可能な排尿用出し入れ開口部を設けてなることを特徴とする請求項１記載の失禁用パンツ。
【請求項４】
前記兼用の出し入れ開口部を開閉する開閉手段を兼用の出し入れ開口部に備えていることを特徴とする請求項２記載の失禁用パンツ。
【請求項５】
前記排尿用出し入れ開口部を開閉する開閉手段を排尿用出し入れ開口部に備えていることを特徴とする請求項３記載の失禁用パンツ。
【請求項６】
パンツ本体が、伸縮自在な生地で構成されていることを特徴とする請求項１、２、３、４または５記載の失禁用パンツ。
【請求項７】
上部を開放した袋内に吸水性部材を収納せしめると共に、前記袋の前側に男性生殖器を挿入するための開口部を形成せしめてなることを特徴とする吸水パッド。
【発明の詳細な説明】
【技術分野】
【０００１】
この発明は、軽度の男性失禁者が失禁したときに尿を外に漏らすことなく吸収すると共に通常時の排尿に使用される失禁用パンツおよびこの失禁用パンツに用いられる吸水パッドに関する。
【背景技術】
【０００２】
近年、高齢化が進み、老人が増えてきている。この老人や病気上がりの人には、失禁者が年々増加の傾向にある。そして、失禁者の尿漏れ対策としての失禁用パンツとしては、種々のものが今までに知られている。その内の代表的な失禁用パンツとして、例えば図６（Ａ）に示されているような吸水パッド１０１がある。この吸水パッド１０１の中央部には吸水性部材１０３が取り付けられている。この吸水パッド１０１を図６（Ｂ）に示されているように吸水パッド１０１に設けてあるテープ１０７をはがしてパンツ１０５の前側の内側につけて、局部を包むようにパンツ１０５をはき、図６（Ｃ）に示されているように吸水パッド１０１の後ろ側が睾丸をつつみ込むようにフィットとして使われている。
【０００３】
また、図７（Ａ）に示されているような吸水パッド１０７がある。この吸水パッド１０７の中央部には吸水性部材１０９が取り付けられている。そして、図７（Ａ）において、吸水性部材１０９の左側には上下方向へ２本のゴム１１１が縫いつけられており、この２本のゴム１１１との間の上下中央部には固定ホール（ミシン目）１１３が設けられている。さらに、前記吸水性部材１０９の左右両側の上下中央部はギャザァ１１５が付けられている。
【０００４】
この状態で点線で示した折り線のところで吸水パッド１０７を２つ折りにして、図７（Ｂ）に示すごとく、吸水パッド１０７を男性の男性生殖器の前側に当てた状態で男性生殖器を破った固定ホール１１３に差し込む。そして、図７（Ｃ）に示すごとく、吸水パッド１０７を右側から折って男性生殖器を巻き込んで吸水パッド１０７に付いている組立テープ１１７を剥がす。図７（Ｄ）に示すごとく、吸水パッド１０７の先端に隙間ができないように左側を巻き込んで固定する。図７（Ｅ）に示すごとく、吸水パッド１０７がズレないように軽く押さえながら、図７（Ｆ）に示すごとく、おむつ１１９を当てて使用される。
【０００５】
さらに、図８に示されているような失禁パンツ１２１がある。この失禁パンツ１２１のパンツ本体１２３における股部１２５の内側に吸水パッド１２７が取り付けられている。そして、吸水パッド１２７の構造は、例えばマーバス鹿の子、吸水パイル、吸水布ディスメル、防水布、身生地が積層されている。
【特許文献１】特開２００１−２９３７５号公報
【特許文献２】特開平１０−６０７０３号公報
【発明の開示】
【発明が解決しようとする課題】
【０００６】
ところで、上述した従来の吸水パッド１０１、吸水パッド１０７および吸水パッド１２７は、男性の場合、男性生殖器を覆って身体に接触しており、尿を漏らすと吸水パッドで吸水されるが、睾丸の当たりまで尿が流れることがあり、不快感を生じてしまうという問題がある。また、軽度の失禁者の場合には、歩行ができるようになったり、また、軽度の運動ができるようになったとき、通常の小便を行うべくトイレに行くようなときには、従来の失禁パンツでは、立ったままで小便ができず、いちいち洋式あるいは和式のトイレに行って脱がなければならず、面倒さが生じるという問題がある。
【０００７】
この発明は上述の課題を解決するためになされたものである。
【課題を解決するための手段】
【０００８】
上記目的を達成するためにこの発明の失禁用パンツは、下部の中央部に股部を備えると共にこの股部の両側に足を挿入するための腿回り部を備え、上部にウエスト部を備えたパンツ本体からなり、このパンツ本体の前側における前記股部とウエスト部との間に内側生地と外側生地で空間部を形成せしめ、前記内側生地に男性の生殖器を前記空間部に挿入するための開口部を備え、この開口部より下方に形成された内側生地と外側生地との間に吸水パッドを収納する収納領域を設け、前記空間部の少なくとも一側壁に前記吸水パッドを出し入れ可能な出し入れ開口部を設けてなることを特徴とするものである。
【０００９】
この発明の失禁用パンツは、前記失禁用パンツにおいて、前記出し入れ開口部は、通常の排尿時の前記男性の生殖器の出し入れ可能な出し入れ開口部を兼ねていることが好ましい。
【００１０】
この発明の失禁用パンツは、前記失禁用パンツにおいて、前記吸水パッドを出し入れ可能な出し入れ開口部とは別に、通常の排尿時の前記男性の生殖器の出し入れ可能な排尿用出し入れ開口部を設けてなることが好ましい。
【００１１】
この発明の失禁用パンツは、前記失禁用パンツにおいて、前記兼用の出し入れ開口部を開閉する開閉手段を兼用の出し入れ開口部に備えていることが好ましい。
【００１２】
この発明の失禁用パンツは、前記失禁用パンツにおいて、前記排尿用出し入れ開口部を開閉する開閉手段を排尿用出し入れ開口部に備えていることが好ましい。
【００１３】
この発明の失禁用パンツは、前記失禁用パンツにおいて、パンツ本体が、伸縮自在な生地で構成されていることが好ましい。
【００１４】
この発明の吸水パッドは、上部を開放した袋内に吸水性部材を収納せしめると共に、前記袋の前側に男性生殖器を挿入するための開口部を形成せしめてなることを特徴とするものである。
【発明の効果】
【００１５】
以上のごとき発明が解決しようとする課題の説明から理解されるように、この発明によれば、パンツ本体の前側における内側生地と外側生地との間に形成された収納領域に予め用意された吸水パッドが前もって出し入れ開口部から収納される。この状態で、失禁パンツを履き、男性の生殖器を開口部から内側生地と外側生地との間の空間部に挿入し、男性の生殖器を前記吸水パッドで覆って使用される。
【００１６】
したがって、疲れたり、咳をしたり、あるいは一寸と立ったりしたときに、尿が漏れた場合には吸水パッドで吸水することができる。そして、吸水パッドをパンツ本体の前側における内側生地と外側生地との間に形成された収納領域に収納されているから、吸水パッドは、身体に接触しておらず、従来のような違和感を解消することができると共に、吸水パッドは、出し入れ開口部から収納領域に単に収納するだけであり、しかも、交換する場合にも、出し入れ開口部より新しい吸水パッドと容易に交換することができる。吸水パッドは、収納領域に安定した状態で位置ズレすることなく、収納されて使用することができる。
【００１７】
また、前記出し入れ開口部は、通常の排尿時の前記男性の生殖器の出し入れ可能な出し入れ開口部を兼ねているから、通常の排尿時に出し入れ開口部から容易に男性の生殖器を出し入れしてパンツ本体を降ろすことなく、そのままの状態すなわち立ったままの状態で男性用のトイレでスムーズに排尿することができる。  
前記吸水パッドを出し入れ可能な出し入れ開口部とは別に、通常の排尿時の前記男性の生殖器の出し入れ可能な排尿用出し入れ開口部を設けることによって、通常の排尿時に排尿用出し入れ開口部から容易に男性の生殖器を出し入れしてパンツ本体を降ろすことなく、そのままの状態すなわち立ったままの状態で男性用のトイレでスムーズに排尿することができる。  
前記兼用の出し入れ開口部を開閉する開閉手段を兼用の出し入れ開口部に備えているから、開閉手段により、兼用の出し入れ開口部を開閉することができ、常時兼用の出し入れ開口部は閉まっていて、吸水パッド、男性の生殖器の出し入れを行う際に開かせることができる。
【００１８】
前記パンツ本体を、伸縮自在な生地で構成することにより、パンツ本体が身体にぴったりとフィットして心地よく使用することができる。
【００１９】
吸水パッドとしては、上部を開放した袋内に吸水性部材が収納されていると共に、前記袋の前側に男性生殖器を挿入するための開口部が形成されているから、吸水パッドを失禁用パンツにおけるパンツ本体に形成されている出し入れ開口部から前記収納領域に簡単かつ容易に出し入れして使用することができる。
【発明を実施するための最良の形態】
【００２０】
以下、この発明の実施の形態について図面を参照して詳細に説明する。
【００２１】
図２および図３を参照するに、失禁用パンツ１は、パンツ本体３からなり、このパンツ本体３はこの下部の中央部に股部５を備えていると共にこの股部５の両側には足を挿入するための腿回り部７Ｌ、７Ｒを備えている。この腿回り部７Ｌ、７Ｒの周囲にはゴムが挿入されたゴム通し部９Ｌ、９Ｒが縫いつけられている。さらに、前記パンツ本体３の上部にはウエスト部１１が備えられている。このウエスト部１１内にはゴムが挿入されている。
【００２２】
前記パンツ本体３の前側における前記股部３とウエスト部１１との間には、前記股部３の幅よりやや広い幅で内側生地１３と外側生地１５で空間部１７が形成されている。前記
内側生地１３と外側生地１５とは、例えば図２および図３において右側側壁１９が上下方向に延伸されて縫い糸で縫合されている。内側生地１３と外側生地１５との上部左右部２１および左側側壁２３には開口部２５が形成されている。この開口部２５の例えば上部左右部２１には面ファスナの雌部２７が設けられており、外側生地１５の上部左右部には例えば面ファスナの雄部２９が設けられている。前記面ファスナの雌部２７と雄部２９との着脱により開口部２５が開閉されるものである。
【００２３】
また、前記左側側壁２３における開口部２５には、内側生地１３と外側生地１５とにチャック３１が取り付けられている。このチャック３１の開閉により開口部２５が開閉されるものである。
【００２４】
前記内側生地１３には、男性の生殖器を前記空間部１７に挿入するための例えば左右方向に切りかかれた切り欠き部である開口部３３が備えられている。この開口部３３より下方に形成された内側生地１３と外側生地１５との間の空間部１７には、図１に示されているように、後述する吸水パッドを収納する収納領域３５が設けられている。
【００２５】
前記パンツ本体３としては、吸水性のよい綿糸からなるニット生地で構成されている。好ましくは、綿からなるニット生地にウレタン繊維が数％挿入されて伸縮性を有したものがよい。その結果、パンツ本体３が身体にフィットして履き心地がよくなるものである。
【００２６】
前記収納領域３５に収納される吸水パッド３７は、図４（Ａ）に示されているように、この吸水パッド３７の中央部には吸水性部材３９が取り付けられている。そして、図４（Ａ）において、吸水性部材３９の左側には上下方向へ２本のゴム４１が縫いつけられており、この２本のゴム４１との間の上下中央部には開口部としての固定ホール（ミシン目）４３が設けられている。さらに、前記吸水性部材３９の左右両側の上下中央部はギャザァ４５が付けられている。
【００２７】
上記構成により、この状態で点線で示した折り線のところで吸水パッド３７を図４（Ｂ）に示すごとく、２つ折りにして、図４（Ｃ）に示す如き状態にして吸水パッド３７をパンツ本体３の開口部２５の面ファスナの雌部２７と雄部２９とを開かせると共にチャック３１を開かせて、前記吸水パッド３７が収納領域３５に収納される。
【００２８】
この状態で、失禁パンツ１を履き、男性の生殖器を開口部３３から内側生地１３と外側生地１５との間の空間部に挿入し、男性の生殖器を前記吸水パッド３７で覆って使用される。このとき、男性の生殖器は固定ホール（ミシン目）４３を破って２つ折りされた吸水パッド３７内に入れられて使用されるものである。その後、パンツ本体３の開口部２５の面ファスナの雌部２７と雄部２９とを閉じると共にチャック３１を閉じて使用される。
【００２９】
図５には図４に示した吸水パッド３７とは別の吸水パッド４７が示されている。図５において吸水パッド４７は、上部を開放した紙からなる袋４９を備えている。この袋は４９例えば２重になった紙からなっており、外側の紙は水を通さない例えば油紙でできている。そして、前記袋４９内にはすでによく知られている尿を吸水する吸水性部材５１が収納されていると共に、前記袋４９の前側にの上部には男性生殖器を挿入するための開口部としての例えばミシン目からなる固定ホール５３が形成されている。なお、吸水パッド４７は使用後使い捨てられるようになっている方が衛生的である。
【００３０】
上記構成により、図５に示す如き状態にした吸水パッド４７をパンツ本体３の開口部２５の面ファスナの雌部２７と雄部２９とを開かせると共にチャック３１を開かせて、前記吸水パッド４７が収納領域３５に収納される。
【００３１】
この状態で、失禁パンツ１を履き、男性の生殖器を開口部３３から内側生地１３と外側生地１５との間の空間部に挿入し、男性の生殖器を前記吸水パッド４７で覆って使用される。このとき、男性の生殖器は固定ホール（ミシン目）５３を破って吸水パッド４７内に入れられて使用されるものである。その後、パンツ本体３の開口部２５の面ファスナの雌部２７と雄部２９とを閉じると共にチャック３１を閉じて使用される。
【００３２】
したがって、疲れたり、咳をしたり、あるいは一寸と立ったりしたときに、尿が漏れた場合には吸水パッド３７あるいは吸水パッド４７で吸水することができる。そして、吸水パッド３７あるいは吸水パッド４７をパンツ本体３の前側における内側生地１３と外側生地１５との間に形成された収納領域３５に収納されているから、吸水パッド３７あるいは吸水パッド４７は、身体に接触しておらず、従来のような違和感を解消することができると共に、吸水パッド３７あるいは吸水パッド４７は、出し入れ開口部２５から収納領域３７に単に収納するだけであり、しかも、交換する場合にも、出し入れ開口部２５より新しい吸水パッド３７あるいは吸水パッド４７と容易に交換することができる。吸水パッド３７あるいは吸水パッド４７は、収納領域３５に安定した状態で位置ズレすることなく、収納されて使用することができる。
【００３３】
また、前記出し入れ開口部２５は、通常の排尿時の前記男性の生殖器の出し入れ可能な出し入れ開口部を兼ねているから、通常の排尿時に出し入れ開口部２５から容易に男性の生殖器を出し入れしてパンツ本体３を降ろすことなく、そのままの状態すなわち立ったままの状態で男性用のトイレでスムーズに排尿することができる。  
前記吸水パッド３７を出し入れ可能な出し入れ開口部２５とは別に、通常の排尿時の前記男性の生殖器の出し入れ可能な排尿用出し入れ開口部を外側生地１５の一部例えば前記開口部３３の図１において左側に設けることによって、通常の排尿時に排尿用出し入れ開口部から容易に男性の生殖器を出し入れしてパンツ本体３を降ろすことなく、そのままの状態すなわち立ったままの状態で男性用のトイレでスムーズに排尿することができる。  
前記兼用の出し入れ開口部２５を開閉する開閉手段として面ファスナやチャックを兼用の出し入れ開口部２５に備えているから、開閉手段により、兼用の出し入れ開口部２５を開閉することができ、常時兼用の出し入れ開口部２５は閉まっていて、吸水パッド３７、男性の生殖器の出し入れを行う際に開かせることができる。
【００３４】
前記パンツ本体３を、伸縮自在な生地例えば上述したごとく綿にウレタン繊維を入れたニット生地で構成することにより、パンツ本体３が身体にぴったりとフィットして心地よく使用することができる。
【図面の簡単な説明】
【００３５】
【図１】この発明の失禁パンツの正面からみた斜視図で、内側生地と外側生地との間に吸水パッドを収納せしめる収納領域も示した図である。
【図２】この発明の失禁パンツの正面からみた斜視図で、開口部を閉じた状態を示した図である。
【図３】この発明の失禁パンツの正面からみた斜視図で、開口部を開いた状態を示した図である。
【図４】（Ａ）〜（Ｃ）は前記収納領域に収納せしめる吸水パッドの一例の説明図である。
【図５】収納領域に収納せしめる吸水パッドの他の例の説明図である。
【図６】（Ａ）〜（Ｃ）は従来の吸水パッドをパンツに装着して使用する一例の説明図である。
【図７】（Ａ）〜（Ｆ）は従来の吸水パッドを男性の生殖器にあてがい、さらに、その上におむつで覆って使用する一例の説明図である。
【図８】従来の吸水パッドをパンツの前側の生地裏に縫いつけて使用する一例の説明図である。
【符号の説明】
【００３６】
１  失禁パンツ
３  パンツ本体
５  股部
７Ｌ、７Ｒ  腿回り部
９Ｌ、９Ｒ  ゴム通し部
１１  ウエスト部
１３  内側生地
１５  外側生地
１７  空間部
１９  右側側壁
２１  上部左右部
２３  左側側壁
２５  開口部
２７  面ファスナの雌部
２９  面ファスナの雄部
３１  チャック
３３  開口部
３５  収納領域
３７  吸水パッド
３９  吸水性部材
４１  ゴム
４３  固定ホール（ミシン目）
４５  ギャザァ
４７  吸水パッド
４９  袋
５１  吸水性部材
５３  固定ホ−ル
【図１】
2005198900.tif 000003
【図２】
2005198900.tif 000004
【図３】
2005198900.tif 000005
【図４】
2005198900.tif 000006
【図５】
2005198900.tif 000007
【図６】
2005198900.tif 000008
【図７】
2005198900.tif 000009
【図８】
2005198900.tif 000010